(57)【要約】      （修正有） 【課題】簡単な構造で且つ簡単な操作で、所望範囲のみの隠蔽が可能なカーテンを提供する。【解決手段】吊下紐４で吊り下げられる第一カーテン部２と第二カーテン部３を備え、第一カーテン部２が、上部横杆２１及び下部横杆２２との間に第一シート体２３を左右開閉自在に組み込み、第二カーテン部３が、第二横杆３１に第二シート体３２を左右開閉自在に吊下げ、下部横杆２２と第二横杆３１とを吊下連結し、吊下紐４の装着部（リング体）４２ａを上部横杆２１に装着し、他方の装着部４２ｂを上部横杆２１又は下部横杆（第二横杆）３１の何れかに選択的に装着可能に設けてなる。【選択図】図１
0003145038.tif 000002
【実用新案登録請求の範囲】
【請求項１】
左右適宜位置に吊下紐の折返保持部を備えると共に、壁面への固定手段を備えたカーテン吊下部と、上部横杆及び下部横杆との間に第一シート体を左右開閉自在に組み込んだ第一カーテン部と、第二横杆に第二シート体を左右開閉自在に吊下げた第二カーテン部とを備え、前記下部横杆と第二横杆とをシート体の開閉に支障が生じないように吊下連結し、所定長さの吊下紐を、適宜な停止手段を備えて前記折返保持部を通過させて、その一端を上部横杆に連結し、他方端を上部横杆又は前記の下部横杆と第二横杆の吊下連結位置の何れかに選択的に装着可能に設けてなることを特徴とする暖簾風分割式カーテン。
【請求項２】
上部下部両横杆、及び第二横杆を伸縮自在構造に形成すると共に、カーテン吊下部における左右の折返保持部の位置を調整可能に設けてなる請求項１記載の暖簾風分割式カーテン。
【請求項３】
第一シート体の上下端及び第二シート体の上端を筒状に形成して横杆を挿通し、左右開閉自在とした請求項１又は２記載の暖簾風分割式カーテン。
【請求項４】
吊下紐の両端にリング体を設け、前記リング体を横杆の端部に嵌合して連結してなる請求項１乃至３記載のいずれかの暖簾風分割式カーテン。
【考案の詳細な説明】
【技術分野】
【０００１】
本考案は、窓や出入口等に装着して目隠しとして使用される暖簾風分割式カーテンに関するものである。
【背景技術】
【０００２】
周知のとおりカーテンは、幕体を窓に面して吊下げて隠蔽機能を奏するもので、レール等に吊り下げて左右方向に開閉できる構造や、巻上機構を付設して吊下げて幕体下方から巻き上げるようにして開閉できる構造が採用されている。
【０００３】
前記の従前のカーテンの開閉による隠蔽範囲は、窓の中央（幕体が左右に配置されている場合）や、一側方に限定される。然し例えば上方のみを非隠蔽として空を見上げることができ且つ他人の視線を遮ることができるようにしたり、上下部分を非隠蔽として中間部分だけ隠蔽状態として外を歩行する人の視線の位置のみを隠蔽する等、隠蔽範囲を任意に選択設定できると、所望の隠蔽効果を得ることができるものである。
【０００４】
そこで特許文献１（登録実用新案第３１４２５８２号公報）には、カーテン全体を、上下３段で且つ左右に分割された分割シート状体で構成し、各分割シート体を複数の長尺状体で吊り下げ、分割シート体を各別に巻き上げて保持することで、当該分割シート体個所を非隠蔽状態とする構造のものが提案されている。
【０００５】
【特許文献１】登録実用新案第３１４２５８２号公報。
【考案の開示】
【考案が解決しようとする課題】
【０００６】
前記特許文献１記載のカーテンは、分割シート体を一々巻き上げて所定の部材で止着保持させる作業が必要となり、更にシート体の巻き上げをしっかり行わないと、シート体がだらしなく垂れてしまうので、操作性に問題があると共に、美観的にも問題がある。
【０００７】
そこで本考案は、操作性に優れた隠蔽範囲を選択できる暖簾風の分割式カーテンを提案したものである。
【課題を解決するための手段】
【０００８】
本考案（請求項１）に係る暖簾風分割式カーテンは、左右適宜位置に吊下紐の折返保持部を備えると共に、壁面への固定手段を備えたカーテン吊下部と、上部横杆及び下部横杆との間に第一シート体を左右開閉自在に組み込んだ第一カーテン部と、第二横杆に第二シート体を左右開閉自在に吊下げた第二カーテン部とを備え、前記下部横杆と第二横杆とをシート体の開閉に支障が生じないように吊下連結し、所定長さの吊下紐を、適宜な停止手段を備えて前記折返保持部を通過させて、その一端を上部横杆に連結し、他方端を上部横杆又は前記の下部横杆と第二横杆の吊下連結位置の何れかに選択的に装着可能に設けてなることを特徴とするものである。
【０００９】
従って両シート体は、暖簾風に窓や出入口等にカーテン吊下部に吊り下げられるもので、特に吊下紐の他方端を、下部横杆と第二横杆の吊下連結位置（下部横杆と第二横杆の何れか）に装着した場合には、上部横杆とカーテン吊下部が近接した状態で吊下紐が保持されていると、第一シート体の下方に第二シート体が連なった状態で吊り下げられ、両シート体全体で隠蔽が実現し、吊下紐を操作して上部横杆とカーテン吊下部が離れる位置で吊下紐を保持させると、第一シート体と第二シート体が一部重なり合った状態となり、両シート体の上下部分双方が非隠蔽状態となり、その上下部分の非隠蔽状態の範囲は、吊下紐の位置によって第一シート体と第二シート体の重なり高さが異なることで、調整ができるものである。
【００１０】
更に上記の状態で、第一シート体及び第二シート体を左右方向に開閉することで、左右の非隠蔽範囲も任意に選択もできる。
【００１１】
また吊下紐の他方端を上部横杆に装着した場合には、第一シート体の下方に第二シート体が連なった状態で吊り下げられ、両シート体全体で隠蔽が実現するが、第一シート体の上方部分が大きく非隠蔽状態となる。更に前記の各状態で、第一シート体及び第二シート体は左右方向に開閉できるので、左右の隠蔽範囲の調整が可能となる。
【００１２】
また本考案（請求項２）に係る暖簾風分割式カーテンは、上記の分割式カーテンにおいて、特に前記上部下部両横杆、及び第二横杆を伸縮自在構造に形成すると共に、カーテン吊下部における左右折返保持部の位置を調整可能に設けてなるもので、窓等の幅に応じて調整が可能となるものである。
【００１３】
また本考案（請求項３）に係る暖簾風分割式カーテンは、上記の分割式カーテンにおいて、特に第一シート体の上下端及び第二シート体の上端を筒状に形成して横杆を挿通し、左右開閉自在としたもので、部品数を少なくして所定の機能を発揮できるものである。
【考案の効果】
【００１４】
本考案の構成は上記のとおりであり、吊下紐の装着位置の選択と、吊下紐による両カーテン部の吊下位置（吊下紐の保持位置）の選択によって、窓等の上下非隠蔽範囲の選択ができ、更に前記の各状態に組み合わせて両シート体の左右開閉を加えて非隠蔽範囲の選択設定ができるもので、前記の選択が非常に簡単な構造で、且つ簡単な操作で実現できたものである。
【考案を実施するための最良の形態】
【００１５】
次に本考案の実施形態について説明する。実施形態に示した暖簾風分割式カーテンは、カーテン吊下部１と、第一カーテン部２と、第二カーテン部３と、吊下紐４とで構成される。
【００１６】
カーテン吊下部１は、伸縮自在とした横杆１１において、壁面への固定装着部１２を備えて窓Ａの上方の壁面に固定するものであり、更に横杆１１には前記の伸縮によって左右間隔を調整できる位置に、吊下紐４の折返保持部１３を設けてなるものである。
【００１７】
第一カーテン部２は、上部横杆２１と、下部横杆２２との間に第一シート体２３を組み込んだもので、組み込み構造は、第一シート体２３の上下を筒状部２３１に形成し、この筒状部２３１に上下部横杆２１，２２を挿通して、第一シート体２３を左右方向に開閉可能としたものである。また上下部横杆２１，２２は、伸縮自在として横幅の調整を可能としたものである。
【００１８】
第二カーテン部３は、第二横杆３１と第二シート体３２で構成され、第二横杆３１は第一カーテン部２の各横杆２１，２２と同様に伸縮自在とし、第二シート体３２の上方部分を筒状部３２１に形成し、この筒状部３２１に第二横杆３１を挿通して、第二シート体３２を左右方向に開閉可能としたものである。
【００１９】
また特に第一カーテン部２の下部横杆２２と、第二カーテン部３の第二横杆３１とは、適宜な連結部材（例えば眼鏡状の連結輪等）で連結すると共に、前記の連結が下部横杆２２における第一シート体２３の左右開閉、及び第二横杆３１における第二シート体３２の左右開閉に支障が生じないよう連結する。
【００２０】
尚筒状部２３１，３２１を採用せずに、上下部横杆２１，２２及び第二横杆３１をカーテンレール部材として、当該レール部材を走行する釣下金具に両シート体２３，３２を連結しても良い。
【００２１】
吊下紐４は、紐本体４１と紐本体４１の両端に設けた装着部（リング体）４２ａ，４２ｂを設けたもので、紐本体４１の長さは、後述するカーテンの使用状態を考慮して、窓Ａに対するカーテン吊下部１の固定位置、及び窓Ａ内における所望するカーテンの配置（カーテンの大きさも考慮要件に入る）から定められるもので、折返保持部１３を挿通して吊り下げられる。また装着部４２ａ，４２ｂは、上部横杆２１及び下部横杆２２（又は第二横杆３１）に嵌合できるリング体としたものである。
【００２２】
特に吊下紐４は、折返保持部１３においての吊り下げバランスが偏って一方側にずり落ちないように、吊下紐４と折返保持部１３との間に、操作性の障害にならない程度の適度摩擦が生ずるようにし、また全体の重量配分も相応に考量する。またリング体に代えて鉤部材でも良く、装着される側に掛け受け部を設けるようにしても良い。
【００２３】
而して折返保持部１３を挿通した吊下紐４の一方の装着部４２ａを上部横杆２１に装着し、他方の装着部４２ｂを下部横杆２２（又は第二横杆３１）に装着して、窓Ａ内に暖簾風に吊下げるもので（第一の吊り下げ状態）、特に吊下紐４の操作によって、上部横杆２１をカーテン吊下部１に近接させて、上部横杆２１の位置が窓枠内上方一杯の位置に吊り下げると、第一シート体２３の下方に第二シート体３２が連なった状態で吊り下げられることになる（図２参照）。
【００２４】
従って両シート体２３，３２の全体で窓Ａの隠蔽が実現するものである。更に前記状態で、第一シート体２３及び第二シート体３２は各々左右方向で開閉できるもので、窓Ａの非隠蔽範囲を任意に設定できるものである。
【００２５】
また前記の吊下紐４の装着状態において、上部横杆２１とカーテン吊下部１とが離れる方向に吊下紐４を操作すると、第一カーテン部２が下がり、第二カーテン部３が上昇して、第一シート体と第二シート体が一部重なり合った状態となり、窓Ａ内において上方の非隠蔽部分ａと下方の非隠蔽部分ｂが現出することになる（図３参照）。
【００２６】
従って吊下紐４の操作によって、両シート体２３，３２の上下部分の双方が非隠蔽状態となり、その上下部分の非隠蔽状態の範囲は、吊下紐４の位置によって第一シート体と第二シート体の重なる高さが異なり、調整ができるものである。勿論このような両シート体２３、３２の重なり状態でも第一シート体２３及び第二シート体３２を各々左右方向に開閉することで、左右の非隠蔽の範囲の選択もできるものである。
【００２７】
また吊下紐４の下部横杆２２に嵌合装着していた装着部４２ｂを外し、装着部４２ａと同じ個所（上部横杆２１）に装着した場合には（第二の吊り下げ状態）、第一シート体２３の下方に第二シート体３２が連なった状態で吊り下げられると共に、第一シート体２３の上方部分ｃが大きく非隠蔽状態となる。更に前記状態で、第一シート体２３及び第二シート体３２は左右方向に開閉できるので、左右の隠蔽範囲の調整も可能となるものである。
【００２８】
このように本考案は、装着部４２ａ，４２ｂの装着位置の選択（第一、第二の吊り下げ状態の選択）、第一の吊り下げ状態における吊下紐４の操作による吊下状態の選択、更に各吊り下げ状態における両シート体２３，３２の左右方向の開閉によって、窓Ａの隠蔽範囲を簡単に且つ容易な操作で選択変更できたものである。
【図面の簡単な説明】
【００２９】
【図１】本考案の実施形態の分解斜視図。
【図２】同使用状態の説明図（第一の吊り下げ状態）。
【図３】同使用状態の説明図（第一の吊り下げ状態における吊下紐の操作説明図）。
【図４】同使用状態の説明図（第二の吊り下げ状態）。
【符号の説明】
【００３０】
１        カーテン吊下部
１１      横杆
１２      固定装着部
１３      折返保持部
２        第一カーテン部
２１      上部横杆
２２      下部横杆
２３      第一シート体
２３１    筒状部
３        第二カーテン部
３１      第二横杆
３２      第二シート体
３２１    筒状部
４        吊下紐
４１      紐本体
４２ａ，４２ｂ  装着部（リング体）
【図１】
0003145038.tif 000003
【図２】
0003145038.tif 000004
【図３】
0003145038.tif 000005
【図４】
0003145038.tif 000006